(57)【要約】【課題】着用者が保護帽を被った場合における保護帽の密着性が優れていると共に、片手で容易にヘッドバンドのサイズの調整をおこなうことができるヘッドバンドのサイズ調整装置を提供する。【解決手段】直線状部１３と第１の円弧状部１５と第２の円弧状部１７とを備えて帯状に形成され、各円弧状部１５，１７をお互いに係合させて環状に形成し保護帽１の帽体７に設置したときに、各円弧状部１５，１７が帽体７の後方で下側に凸になるヘッドバンド５と、各円弧状部１５，１７をガイドするヘッドバンドガイド体９と、回転することによって、環状のヘッドバンド５のサイズを変更するヘッドバンド調整体１１とを有するヘッドバンドのサイズ調整装置３である。【選択図】図２
2010203015.tif 000002
【特許請求の範囲】
【請求項１】
直線状部と、この直線状部の一端部に形成された第１の円弧状部と、前記直線状部の他端部に形成された第２の円弧状部とを備えて帯状に形成され、前記各円弧状部をお互いに係合させて環状に形成し保護帽の帽体に設置したときに、前記各円弧状部が前記帽体の後方で前記帽体の下側に凸になるヘッドバンドと；
前記ヘッドバンドの各円弧状部がお互いに係合するように、前記各円弧状部をガイドするヘッドバンドガイド体と；
前記ヘッドバンドガイド体に回転位置決め自在に設けられ、前記ヘッドバンドガイド体が前記ヘッドバンドの各円弧状部をガイドしているときに、回転することによって、前記環状のヘッドバンドのサイズを変更するヘッドバンド調整体と；
を有することを特徴とするヘッドバンドのサイズ調整装置。
【請求項２】
請求項１に記載のヘッドバンドのサイズ調整装置において、
前記ヘッドバンド調整体にはピニオンが形成されており、
前記第１の円弧状部には、前記ピニオンと噛合する第１のラックが形成されており、
前記第２の円弧状部には、前記ピニオンと噛合する第２のラックが形成されており、
前記ヘッドバンド調整体の回転量による、前記ヘッドバンドガイド体に対する前記各円弧状部の移動量が、お互いに等しくなるようにするために、前記第１のラックのピッチと、前記第２のラックのピッチとが、お互いに異なっていることを特徴とするヘッドバンドのサイズ調整装置。
【請求項３】
請求項１または請求項２に記載のヘッドバンドのサイズ調整装置において、
前記ヘッドバンドガイド体が筒状に形成されており、前記各円弧状部がヘッドバンドガイド体の貫通孔に入り込みガイドされるように構成されており、
前記ヘッドバンドガイド体とこのヘッドバンドガイド体でガイドされている各円弧状部との間隙の量が、前記ヘッドバンドガイド体の貫通孔が延びている方向で、前記ヘッドバンドガイド体の中央部で最も小さくなっており、前記ヘッドバンドガイド体の端部に向かうにしたがって次第に大きくなるように構成されていることを特徴とするヘッドバンドのサイズ調整装置。
【請求項４】
請求項１〜請求項３のいずれか１項に記載のヘッドバンドのサイズ調整装置において、
前記ヘッドバンド調整体の一部が、前記ヘッドバンドガイド体の外に露出しており、
前記ヘッドバンド調整体の露出部分、前記ヘッドバンドガイド体の少なくともいずれかに、前記ヘッドバンドガイド体による前記ヘッドバンド調整体の支持強度を補強するための補強部が設けられていることを特徴とするヘッドバンドのサイズ調整装置。
【請求項５】
請求項１〜請求項４のいずれか１項に記載のヘッドバンドのサイズ調整装置を備えたことを特徴とする保護帽。
【発明の詳細な説明】
【技術分野】
【０００１】
本発明は、保護帽および保護帽に使用されるヘッドバンドのサイズ調整装置に係り、特に、取手（ノブ）を回転することによりサイズ調整をするものに関する。
【背景技術】
【０００２】
従来、保護帽の着用者の後頭部を包むように一部を湾曲形状（円弧状）にすると共にサイズ調整をワンタッチですることができるヘッドバンドを備えた保護帽が知られている（たとえば、特許文献１参照）。
【０００３】
上記従来の保護帽で、ヘッドバンドのサイズが小さくなるような調整をするときには、ヘッドバンドの一方のサイズ調整部を左手で持ち、右手を用いてヘッドバンドの他方の端部を、一方のサイズ調整部に差し込んでいる。
【０００４】
また、ヘッドバンドのサイズが大きくなるような調整をするときには、ヘッドバンドの一方のサイズ調整部を左手で持ちつつサイズ調整ボタンを押し、右手を用いてヘッドバンドの他方の端部を、一方のサイズ調整部から引き出している。
【先行技術文献】
【特許文献】
【０００５】
【特許文献１】特許第４０４１３６５号公報
【発明の概要】
【発明が解決しようとする課題】
【０００６】
上記従来の保護帽では、ヘッドバンドの後頭部を包むヘッドバンドの部位が円弧状になっているので、保護帽を着用者が被ったときにおける保護帽（ヘッドバンド）の密着性が優れており、着用者へのフィット感が良好なものになっている。しかしながら、上記従来の保護帽では、ヘッドバンドのサイズ調整に両手を使用する必要がある。また、保護帽の着用者（原子力発電所や電力会社等で作業に従事する者）は、手袋をしていることが多く、手袋をしているとヘッドバンドの調整がし難いという問題がある。
【０００７】
本発明は、前記問題点に鑑みてなされたものであり、着用者が保護帽を被った場合における保護帽（ヘッドバンド）の密着性が優れていると共に、着用者がたとえば手袋を着用していても、片手で容易にヘッドバンドのサイズの調整をおこなうことができる保護帽およびヘッドバンドのサイズ調整装置を提供することを目的とする。
【課題を解決するための手段】
【０００８】
請求項１に記載の発明は、直線状部と、この直線状部の一端部に形成された第１の円弧状部と、前記直線状部の他端部に形成された第２の円弧状部とを備えて帯状に形成され、前記各円弧状部をお互いに係合させて環状に形成し保護帽の帽体に設置したときに、前記各円弧状部が前記帽体の後方で前記帽体の下側に凸になるヘッドバンドと、前記ヘッドバンドの各円弧状部がお互いに係合するように、前記各円弧状部をガイドするヘッドバンドガイド体と、前記ヘッドバンドガイド体に回転位置決め自在に設けられ、前記ヘッドバンドガイド体が前記ヘッドバンドの各円弧状部をガイドしているときに、回転することによって、前記環状のヘッドバンドのサイズを変更するヘッドバンド調整体とを有するヘッドバンドのサイズ調整装置である。
【０００９】
請求項２に記載の発明は、請求項１に記載のヘッドバンドのサイズ調整装置において、前記ヘッドバンド調整体にはピニオンが形成されており、前記第１の円弧状部には、前記ピニオンと噛合する第１のラックが形成されており、前記第２の円弧状部には、前記ピニオンと噛合する第２のラックが形成されており、前記ヘッドバンド調整体の回転量による、前記ヘッドバンドガイド体に対する前記各円弧状部の移動量が、お互いに等しくなるようにするために、前記第１のラックのピッチと、前記第２のラックのピッチとが、お互いに異なっているヘッドバンドのサイズ調整装置である。
【００１０】
請求項３に記載の発明は、請求項１または請求項２に記載のヘッドバンドのサイズ調整装置において、前記ヘッドバンドガイド体が筒状に形成されており、前記各円弧状部がヘッドバンドガイド体の貫通孔に入り込みガイドされるように構成されており、前記ヘッドバンドガイド体とこのヘッドバンドガイド体でガイドされている各円弧状部との間隙の量が、前記ヘッドバンドガイド体の貫通孔が延びている方向で、前記ヘッドバンドガイド体の中央部で最も小さくなっており、前記ヘッドバンドガイド体の端部に向かうにしたがって次第に大きくなるように構成されているヘッドバンドのサイズ調整装置である。
【００１１】
請求項４に記載の発明は、請求項１〜請求項３のいずれか１項に記載のヘッドバンドのサイズ調整装置において、前記ヘッドバンド調整体の一部が、前記ヘッドバンドガイド体の外に露出しており、前記ヘッドバンド調整体の露出部分、前記ヘッドバンドガイド体の少なくともいずれかに、前記ヘッドバンドガイド体による前記ヘッドバンド調整体の支持強度を補強するための補強部が設けられているヘッドバンドのサイズ調整装置である。
【００１２】
請求項５に記載の発明は、請求項１〜請求項４のいずれか１項に記載のヘッドバンドのサイズ調整装置を備えた保護帽である。
【発明の効果】
【００１３】
本発明によれば、保護帽を着用者が被った場合における保護帽（ヘッドバンド）の密着性が優れていると共に、着用者がたとえば手袋を着用していても、片手で容易にヘッドバンドのサイズの調整をおこなうことができるという効果を奏する。
【図面の簡単な説明】
【００１４】
【図１】本発明の実施形態に係る保護帽１におけるヘッドバンドのサイズ調整装置３に使用されるヘッドバンド５の概略構成を示す展開図である。
【図２】ヘッドバンドのサイズ調整装置３が設置された保護帽１を着用者が被った状態を後から見た図である。
【図３】ヘッドバンドのサイズ調整装置３が設置された保護帽１を着用者が被った状態を側方から見た図である。
【図４】ヘッドバンドのサイズ調整装置３の分解図であって、ヘッドバンドのサイズ調整装置３を後方から見た図である。
【図５】ヘッドバンドのサイズ調整装置３を、図４の場合と同様にして、後方から見た図である。
【図６】図５におけるＶＩ矢視図である。
【図７】図６において、上側部材４９を取り去った状態を示す図である。
【図８】図５におけるＶＩＩＩ−ＶＩＩＩ断面を示す図である。
【図９】ヘッドバンド調整体１１を示す図であり、（ｂ）は、（ａ）におけるＢ矢視図であり、（ｃ）は、（ｂ）におけるＣ矢視図である。
【図１０】ヘッドバンドガイド体９の下側部材５１を示す図であり、（ｂ）は、（ａ）におけるＢ矢視図である。
【図１１】ヘッドバンドガイド体９の上側部材４９を示す図であり、（ｂ）は、（ａ）におけるＢ矢視図である
【図１２】ヘッドバンド調整体１１の変形例を示す図であり、（ｂ）は、（ａ）におけるＢ矢視図であり、（ｃ）は、（ｂ）におけるＣ矢視図である。
【発明を実施するための形態】
【００１５】
図１は、本発明の実施形態に係る保護帽１におけるヘッドバンドのサイズ調整装置３に使用されるヘッドバンド５の概略構成を示す展開図であり、図２は、ヘッドバンドのサイズ調整装置３が設置された保護帽１を着用者が被った状態を後から見た図であり、図３は、ヘッドバンドのサイズ調整装置３が設置された保護帽１を着用者が被った状態を側方から見た図である。
【００１６】
保護帽（安全帽）１は、椀状の帽体７と、帽体７の内側に設置される衝撃吸収ライナー（図示せず）と、ヘッドバンド５およびこのサイズ調整装置３と、顎紐（図示せず）を備えて構成されており、保護帽１を着用者が被ったときに、ヘッドバンド５が着用者の頭部に接触することによって、帽体７が着用者の頭部で支持されて頭部を覆うようになっている。
【００１７】
ヘッドバンドのサイズ調整装置（以下、「サイズ調整装置」という。）３は、帽体７に設置されるヘッドバンド５を環状に形成し、環状に形成されたヘッドバンド５の径（周長；サイズ）を調整するものであり、ヘッドバンド５と、ヘッドバンドガイド体９とヘッドバンド調整体１１とを備えて構成されている。
【００１８】
ヘッドバンド５は、直線状部１３と第１の円弧状部１５と第２の円弧状部１７とを備えて帯状に形成されている。直線状部１３はヘッドバンド５の長手方向の中間部に形成されており、第１の円弧状部１５は、直線状部１３の長手方向の一端部に形成されており、第２の円弧状部１７は、直線状部１３の長手方向の他端部に形成されている。
【００１９】
また、各円弧状部１５，１７をお互いに係合させて（たとえば、重ねて）環状に（平ベルト状に）形成し保護帽１の帽体７に設置すると、各円弧状部１５，１７の中心Ｃ１が帽体７の頂上部側に位置し（図２参照）、各円弧状部１５，１７が帽体７の後方で帽体７の下側に凸（直線状部１３よりも下側に凸）になるようになっている（図２、図３参照）。
【００２０】
なお、各円弧状部１５，１７は、それらの総てがお互いに重ね合わされるわけではなく、環状になったときにヘッドバンド５のサイズが変更されるようになっているので、第１の円弧状部１５の先端部（図１の右端部）と第１の円弧状部１５における長手方向の中間部（直線状部１３との境界である基端部１９でもよい。）との間に存在する部位と、第２の円弧状部１７の先端部（図１の左端部）と第２の円弧状部１７における長手方向の中間部（直線状部との境界である基端部２１でもよい。）との間に存在する部位とが、お互いに重ね合わされるようになっている。
【００２１】
ヘッドバンドガイド体９は、ヘッドバンド５の各円弧状部１５，１７がお互いに重なってヘッドバンド５が環状に形成されるように、各円弧状部１５，１７をガイドするものである。
【００２２】
ヘッドバンド調整体１１は、ヘッドバンドガイド体９に回転位置決め自在に設けられている。ヘッドバンドガイド体９がヘッドバンド５の各円弧状部１５，１７をガイドしているときに、ヘッドバンド調整体１１がヘッドバンドガイド体９に対し回転することによって、環状のヘッドバンド５の径（サイズ；各円弧状部１５，１７がお互いに重なり合っている長さ）を変更するものである。
【００２３】
ヘッドバンド調整体１１にはピニオン（中心軸がヘッドバンド調整体１１の回転中心軸Ｃ２に一致しているピニオン）２３が形成されている（図９参照）。第１の円弧状部１５には、第１の円弧状部１５の円弧に沿って（円弧に対してほぼ平行に、）第１のラック２５が形成されている。第２の円弧状部１７には、第２の円弧状部１７の円弧に沿って（円弧に対してほぼ平行に、）第２のラック２７が形成されている（図１参照）。
【００２４】
第１のラック２５は、ヘッドバンド調整体１１のピニオン２３の一方の側の部位と噛合するようになっており、第２のラック２７は、ヘッドバンド調整体１１のピニオン２３の他方の側の部位と噛合するようになっている（図４、図７参照）。なお、第２のラック２７に噛合しているピニオン２３の部位は、ヘッドバンド調整体１１の回転中心軸Ｃ２を間にして、第１のラック２５に噛合しているピニオン２３の部位の反対側に位置している。たとえば、図４では、第１のラック２５に噛合しているピニオン２３の部位は、中心軸Ｃ２の下側に位置し、第２のラック２７に噛合しているピニオン２３の部位は、中心軸Ｃ２の上側に位置している。
【００２５】
また、ヘッドバンド調整体１１の回転量による、ヘッドバンドガイド体９に対する各円弧状部１５，１７の移動量（各円弧状部１５，１７は、お互いが逆方向に移動するので、より精確には、各円弧状部１５，１７の移動量の絶対値）が、お互いに等しくなるようにするために、第１のラック２５のピッチと、第２のラック２７のピッチとが、お互いに異なっている。
【００２６】
ヘッドバンドガイド体９は筒状に形成されており、各円弧状部１５，１７は、ヘッドバンドガイド体１１の貫通孔に入り込みお互いに重なり合ってガイドされるように構成されている。
【００２７】
そして、ヘッドバンドガイド体９とヘッドバンドガイド体９でガイドされている各円弧状部１５，１７との間隙Ｇの量が、ヘッドバンドガイド体９の貫通孔が延びている方向で、ヘッドバンドガイド体９の中央部で最も小さくなっており、ヘッドバンドガイド体９の端部に向かうにしたがって次第に大きくなっている（図５参照）。
【００２８】
なお、ヘッドバンド調整体１１が設けられているヘッドバンドガイド体９を用いてヘッドバンド５を環状に形成して、ヘッドバンド調整体１１とヘッドバンドガイド体９とヘッドバンド５とを帽体７に設置した状態（ヘッドバンド設置状態）では、間隙Ｇの量は、帽体７の上下方向で次第に変化しており、帽体７の前後方向（図４の紙面に直交する方向）ではほぼ一定になっている。
【００２９】
ここで、サイズ調整装置３についてさらに詳しく説明する。
【００３０】
ヘッドバンドガイド体９は、図４〜図８等で示すように、筒状であって、お互いに重なった各円弧状部１５，１７と同様な円弧状に形成されている。ヘッドバンド調整体１１は、ヘッドバンドガイド体９の長手方向（ヘッドバンドガイド体１１の貫通孔が通っている方向；ヘッドバンドガイド体９でガイドされている各円弧状部１５，１７の長手方向）の中央部であって、ヘッドバンドガイド体９の幅手方向（ヘッドバンドガイド体９でガイドされている各円弧状部１５，１７の幅方向）に設けられている。
【００３１】
ヘッドバンド調整体１１が設けられているヘッドバンドガイド体９がヘッドバンド５の各円弧状部１５，１７をガイドしている状態では、前述したように、お互いに重なっている各円弧状部１５，１７がヘッドバンドガイド体９の貫通孔内に位置している（お互いに重なった各円弧状部１５，１７がヘッドバンドガイド体９で囲まれている）。
【００３２】
また、第１の円弧状部１５がこの先端から所定の長さにわたって、ヘッドバンドガイド体９の長手方向の一端部からヘッドバンドガイド体９の貫通孔に入り込んでおり、第２の円弧状部１７もこの先端から所定の長さ（第１の円弧状部１５がヘッドバンドガイド体９に入り込んでいる長さとほぼ同じ長さ）にわたって、ヘッドバンドガイド体９の長手方向の他端部からヘッドバンドガイド体９の内側に入り込んでいる。
【００３３】
そして、ヘッドバンド調整体１１が回転することにより、ヘッドバンド５の各円弧状部１５，１７の重なり長さが変化すると共に、ヘッドバンドガイド体９の貫通孔内に入り込んでいる第１の円弧状部１５の長さとヘッドバンドガイド体９の貫通孔内に入り込んでいる第２の円弧状部１７の長さとが、お互いに等しい割合で変化するようになっている。
【００３４】
たとえば、ヘッドバンド調整体１１をヘッドバンドガイド体９に対して所定の方向にある角度αだけ回転すると、第１の円弧状部１５が所定の長さＬ１だけさらにヘッドバンドガイド体９の貫通孔内に入り込み、第２の円弧状部１７も所定の長さＬ１だけさらにヘッドバンドガイド体９の貫通孔内に入り込み、各円弧状部１５，１７の重なり長さが長くなり、環状のヘッドバンド５のサイズが小さくなるようになっている。さらに、ヘッドバンド調整体１１が回転位置決めされるようになっているので、一旦設定された環状のヘッドバンド５のサイズは、ヘッドバンド調整体１１に外力を加えてヘッドバンド調整体１１をヘッドバンドガイド体９に対して回転しない限り、維持されるようになっている。
【００３５】
ヘッドバンド調整体１１が設けられているヘッドバンドガイド体９を用いてヘッドバンド５を環状に形成して、ヘッドバンド調整体１１とヘッドバンドガイド体９とヘッドバンド５とを帽体７に設置した状態（ヘッドバンド設置状態）では、ヘッドバンド５の各円弧状部１５，１７以外の他の部位（直線状部１３）は、帽体７の環状の開口部よりも僅かに上方であって帽体７の内側で、帽体７の環状の開口部の沿い、帽体７の一方の側方から前方を通り他方の側方にわたって存在している（図３参照）。
【００３６】
また、ヘッドバンド設置状態では、ヘッドバンド５の各円弧状部１５，１７やヘッドバンドガイド体９は、帽体７の開口部よりも下方で帽体７の後方に位置している（図２、図３参照）。すなわち、ヘッドバンド５の各円弧状部１５，１７やヘッドバンドガイド体９は、帽体７の後方で帽体７の下方外側に円弧状になって突出しており、お互いに重なっている各円弧状部１５，１７やヘッドバンドガイド体９の長手方向の中央部が、最も下側に位置している。
【００３７】
さらに、ヘッドバンド設置状態では、ヘッドバンド調整体１１は、帽体７の後方外側でヘッドバンドガイド体９から真後ろの方向に突出しており、帽体７の前後方向に対してやや斜めに（前側が上方に位置し後側が下方に位置するような斜めに）延びた軸Ｃ２を回転中心にして、回転位置決めされるようになっている（図３参照）。
【００３８】
なお、この明細書で使用している「上」、「下」の文言は、保護帽１の着用者が起立している状態におけるものである。また、ヘッドバンド設置状態の保護帽１を着用者が被ると、環状のヘッドバンド５が着用者の頭部に接触し頭部を包囲し、帽体７が着用者の頭部にほぼ固定されるようになっている。なお、ヘッドバンド５には、ヘッドバンド５を帽体７に設置するための係止部２９が設けられている。
【００３９】
さらに説明すると、ヘッドバンド５は、たとえば、樹脂等の可撓性を備えた材料でモールド成形によって帯状に一体で形成されている。そして、ヘッドバンド５は、環状になっていない状態では、図１に示すように、平板状に展開される。
【００４０】
ヘッドバンド５の直線状部１３は薄く細長い平板状に形成されており、第１の円弧状部１５は、薄く細長い平板状に形成されていることに加えて、長手方向に直線状に延びているのはなく、所定の曲率半径をもった円弧状に曲がって延びている。また、第１の円弧状部１５は、直線状部１３の長手方向の一端部から延出して、直線状部１３と一体で形成されている。第１の円弧状部１５と直線状部１３との境界１９では、第１の円弧状部１５が直線状部に対して急激に曲がることなく、直線状部１３の幅方向の一方の側（図１の下側）に緩やかに曲がっている。また、第１の円弧状部１５の円弧の中心は、直線状部１３の幅方向の他方の側（図１の上側）に位置している。さらに、第１の円弧状部１５の長手方向の先端は、半円状に形成されている。
【００４１】
また、第１の円弧状部１５のほぼ中央部には、長円状の第１の貫通孔（第１の円弧状部１５の厚さ方向に貫通している貫通孔）３１が形成されている。この第１の長円状の貫通孔３１は、この長手方向で、第１の円弧状部１５と同様にして円弧状に曲がっている。第１の長円状の貫通孔３１の幅や長さは、第１の円弧状部１５のものよりも小さくなっており、第１の長円状の貫通孔３１の長手方向は第１の円弧状部１５の長手方向と一致しており、第１の長円状の貫通孔３１の幅方向は第１の円弧状部１５の幅方向と一致している。
【００４２】
第１の長円状の貫通孔３１には、第１のラック２５が形成されている。第１のラック２５は、第１の長円状の貫通孔３１の幅方向の一方の辺（お互いが対向している大きな円弧状の２つの辺のうちの長いほうの辺；図１の下側の辺）のほぼ全長にわたって、三角形状もしくは台形状の凹凸を繰り返して形成されている。
【００４３】
第２の円弧状部１７や第２の長円状の貫通孔３３も第１の円弧状部１５や第１の長円状の貫通孔３１と同様に形成されている。また、第２の円弧状部１７や第２の長円状の貫通孔３３は、直線状部１３の中心を通り直線状部１３の幅方向（直線状部１３の長手方向と厚さ方向とに直交する方向；図１の上下方向）に延びている直線Ｌ１に対してほぼ対称に形成されている。すなわち、図１の左右方向でほぼ対象に形成されている。
【００４４】
ただし、第２の円弧状部１７に形成されている第２のラック２７と、第１の円弧状部１５に形成されている第１のラック２５との設置形態は、異なっている。
【００４５】
すなわち、第２のラック２７は、第２の長円状の貫通孔３３の幅方向の他方の辺（お互いが対向している大きな円弧状の２つの辺のうちで、長いほうの辺ではなくて短いほうの辺；図１の上側の辺）のほぼ全長にわたって、三角形状もしくは台形状の凹凸を繰り返して形成されている。
【００４６】
また、第１のラック２５のピッチに比べて第２のラック２７のピッチは小さくなっている。詳しく説明すると、第１のラック２５が形成されている辺の長さ（ラックが存在しないと仮定した場合の大きな円弧状の辺の長さ）は、第２のラック２７が形成されている辺の長さよりも長くなっており、第１のラック２５が形成されている辺の長さと第２のラック２７が形成されている辺の長さとの比と、第１のラック２５のピッチと第２のラック２７のピッチとの比とが、お互いに等しくなっている。
【００４７】
第１の円弧状部１５と第２の円弧状部１７とは、これらの幅方向ではお互いが一致し、これらの厚さ方向でお互いが重なり合い、環状のヘッドバンド５が形成されるようになっている。
【００４８】
すなわち、図１に示す状態で、直線状部１３の中央部を紙面に残しておいて、第１の円弧状部１５側を図１の紙面の手前にもってくるようにヘッドバンド５を湾曲させた後、第２の円弧状部１７が第１の円弧状部１５よりもさら手前にくるように第２の円弧状部１７側を湾曲させ、第１の円弧状部１５と第２の円弧状部１７とをこれらの幅方向の位置をそろえてこれらの厚さ方向でお互いに重ねると、図４で示す状態になる。図４で示す各円弧状部１５，１７は、図１の示すものに対して、裏返しになっている。
【００４９】
各円弧状部１５，１７には、これらの厚さ方向で段差３５が形成されている（図１、図８参照）。これらの段差３５をお互いに係合させることにより、各円弧状部１５，１７をお互いに重ねるときに、各円弧状部１５，１７が、これらの幅方向でお互いに一致しやすくなっている一方で、お互いに重なり合った各円弧状部１５，１７が、これらの長手方向でお互いに移動しやすくなっている。
【００５０】
詳しく説明すると、図１で示すように、第１の円弧状部１５は、厚さが厚い部位である第１の厚手部３７と、厚さが薄い部位である第１の薄手部３９とで構成されている。第１の厚手部３７の厚さは、直線状部１３の厚さよりも僅かに厚くなっており、第１の薄手部３９の厚さは、直線状部１３の厚さよりも僅かに薄くなっている。なお、第１の厚手部３７と第１の薄手部３９との境界（段差）３５は、第１の円弧状部１５の幅方向の中央部に形成されており、第１の円弧状部１５の長手方向に円弧状に延びている。また、第１の厚手部３７は、ラック２５が形成されている側に形成されており、第１の薄手部３９は、ラック２５が形成されていない側に形成されている。このように、厚手部３７にラック２５を形成することにより、ラック２５の強度を高めることができる。
【００５１】
同様にして、第２の円弧状部１７も、第２の厚手部４１と第２の薄手部４３とで構成されており、第２の厚手部４１が、ラック２７が形成されている側に形成されており、第２の薄手部４３は、ラック２７が形成されていない側に形成されている。
【００５２】
そして、各円弧状部１５，１７をお互いに重ねたときに、図８で示すように、これらの段差３５がお互いに係合するようになっている。図８から理解されるように、各円弧状部１５，１７をお互いに重ねた場合、この重ね合わされた部位における厚さは、重ね合わされた部位のいずれの箇所でもほぼ一定になっている。また、各円弧状部１５，１７がお互いに重なった部位における断面（各円弧状部１５，１７の長手方向に垂直な平面による断面）は、細長い矩形状になっている。
【００５３】
ヘッドバンドガイド体９は、図５や図６で示すように、お互いに重なり合った各円弧状部１５，１７をカイドするために矩形な筒状に形成されている本体部４５と、ヘッドバンド調整体１１を設置するための円環状のヘッドバンド調整体設置部４７とを備えて構成されている。また、ヘッドバンドガイド体９は、ヘッドバンドガイド体９へのヘッドバンド５およびヘッドバンド調整体１１の設置をしやすくするために、２つの部材（上側部材４９と下側部材５１）に分割可能なように構成されている（図４等参照）。分割可能な各部材４９，５１は、樹脂等の材料で、たとえばモールド成形によって一体で形成されている。
【００５４】
なお、次の説明は、理解を容易にするために、ヘッドバンドガイド体９が、上側部材４９と下側部材５１とに分割されていないものとして、なされている。
【００５５】
ヘッドバンドガイド体９の本体部４５の断面（本体部４５の長手方向に対して直角な平面による断面）は、図８に示すように、矩形な環状に形成されており、ヘッドバンドガイド体９の本体部４５の断面における内側の長方形の高さは、各円弧状部１５，１７の幅よりも僅かに大きくなっており、ヘッドバンドガイド体９の本体部４５の断面における内側の長方形の幅（図８の左右方向の寸法）は、お互いが重なり合っている円弧状部１５，１７の厚さよりも僅かに大きくなっている。これにより、各円弧状部１５，１７がお互いに重なるようにして、各円弧状部１５，１７をヘッドバンドガイド体９の本体部４５でガイドすることができると共に、このようにガイドされている各円弧状部１５，１７が、この長手方向（図８の紙面に直交する方向）で、ヘッドバンドガイド体９の本体部４５に対して移動することができるようになっている。
【００５６】
また、ヘッドバンドガイド体９の本体部４５は、お互いに重ね合わされた各円弧状部１５，１７と同様にして、この長手方向（図８の紙面に直交する方向）で、円弧状に曲がっている。すなわち、ヘッドバンドガイド体９の本体部４５は、円弧状に湾曲した４枚の板状部（第１の板状部５３、第２の板状部５５、第３の板状部５７、第４の板状部５９）で矩形な筒状に形成されている（図５参照）。
【００５７】
ヘッドバンドガイド体９で環状に形成されたヘッドバンド５を帽体７に設置した場合、第１の板状部５３は、保護帽１の着用者の頭部側に位置して頭部に接触する部分であり、第２の板状部５５は、お互いが重なっている各円弧状部１５，１７を間にして第１の板状部５３とは反対側に位置している部分であり、第３の板状部５７は、お互いが重なっている各円弧状部１５，１７の上方で、第１の板状部５３と第２の板状部５５とをお互いにつないでいる部分であり、第４の板状部５９は、お互いが重なっている各円弧状部１５，１７の下方で、第１の板状部５３と第２の板状部５５とをお互いにつないでいる部分である。
【００５８】
なお、第２の板状部５５と第４の板状部５９との長さ（図５における左右方向の寸法）は、お互いがほぼ等しくなっているが、第１の板状部５３は第２の板状部５５や第４の板状部５９よりも長くなっており、第３の板状部５７は、第２の板状部５５や第４の板状部５９よりも短くなっている。これにより、着用者の頭部に接触するヘッドバンドガイド体９の本体部４５の面積を大きくしつつ、ヘッドバンドガイド体９の本体部４５に対する各円弧状部１５，１７の遊びの自由度を大きくすることができ、ヘッドバンド５やヘッドバンドガイド体９を着用者の頭部の形状に合致させることが容易になる。
【００５９】
ヘッドバンドガイド体９のヘッドバンド調整体設置部４７は、ヘッドバンドガイド体９の本体部４５の中央部（第２の板状部５５の中央部）に設けられている。ヘッドバンド調整体設置部４７の中心軸（ヘッドバンド調整体１１の回転中心軸と同じ軸）Ｃ２は、第１の板状部５３や第２の板状部５５の厚さ方向に延びており、ヘッドバンド調整体設置部４７は、第２の板状部５５から突出して設けられている。また、ヘッドバンド調整体設置部４７と第２の板状部５５との間には、背の低い円柱状の内部空間６１が形成されている（図７参照）。
【００６０】
ヘッドバンド調整体１１は、たとえば、樹脂等でモールド成形されており、図９で示すように、前述したピニオン２３と、円環状のラチェットの歯部６３と、円柱もしくは円筒状の本体部６５と、円板状の取手部６７とを備えて構成されている。ピニオン２３と、ラチェットの歯部６３、円柱もしくは円筒状の本体部６５、円板状の取手部６７は、この順序で同軸で並んでいる。本体部６５の外径がピニオン２３の外径よりも大きくなっており、取手部６７の外径が本体部６５の外径よりも大きくなっている。また、ラチェットの歯部６３は本体部６５の端面（ピニオン２３側の端面）に形成されている。また、本体部６５の外周には、ラチェットの歯部６３をラチェットの爪（突起）６９（図１０（ａ）参照）に付勢するための弾性を備えた付勢部７１が設けられている。
【００６１】
ヘッドバンド調整体１１の本体部６５における中間部（軸Ｃ２方向における中間部）よりもピニオン２３側の部位が、ヘッドバンドガイド体９の内部に入り込んで、ヘッドバンドガイド体９の本体部４５やヘッドバンド調整体設置部４７に係合していることにより、ヘッドバンドガイド体９に対してヘッドバンド調整体１１がこの軸Ｃ２を中心にして回転するようになっている。
【００６２】
また、この係合をしている状態では、ピニオン２３がヘッドバンド調整体９の本体部４５の貫通孔内に位置している。さらに、ピニオン２３の先端部が、第１の板状部５３の凹部７３にも係合して本体部４５に支持されている（図７参照）。
【００６３】
ヘッドバンドガイド体９でガイドされお互いが重なっている各円弧状部１５，１７の長円状の各貫通孔３１，３３は、お互いにほぼ重なっており、この重なっている貫通孔３１，３３の一方の側に第１のラック２５が位置し他方の側に第２のラック２７が位置している（図４参照）。そして、ヘッドバンドガイド体９に設置されているヘッドバンド調整体１１のピニオン２３の一方の端部（下側に位置している一部の歯）が、ヘッドバンドガイド体９でガイドされてお互いが重なっている第１の円弧状部１５の第１のラック２５に噛合し、ピニオン２３の他方の端部（上側に位置している他の一部の歯）が、第２の円弧状部１７の第２のラック２７に噛合している。
【００６４】
このように噛合している状態で、ヘッドバンド調整体１１を回転すると、第１の円弧状部１５と第２に円弧状部１７とがお互いに逆の方向に移動して、ヘッドバンド５のサイズの調整がなされるようになっている。
【００６５】
また、ヘッドバンド調整体１１のヘッドバンド調整体設置部４７と第２の板状部５５との間に形成されている円柱状の内部空間６１の一方の端面（本体部４５側の底面）には、ラチェットの歯部６３と係合する突起６９が設けられており、ヘッドバンド調整体１１の付勢部７１が円柱状の内部空間６１の他方の端面を押圧することで、ラチェットの歯部６３が突起６９側に付勢され、一旦回転位置決めされたヘッドバンド調整体１１が容易には回転しないようになっている。これにより、一旦、サイズが調整された環状のヘッドバンド５のサイズが容易には変化しないようになっている。
【００６６】
ここで、ヘッドバンドガイド体１１の分割について説明する。
【００６７】
ヘッドバンドガイド体１１は、図４で示すように、ヘッドバンド調整体１１の回転中心軸Ｃ２を含み、ヘッドバンドガイド体１１の本体部４５の円弧の沿って本体部４５の長手方向に延びている円弧状の面により、上側部材４９と下側部材５１とに分割可能になっている。上記分割は、前述したように、ヘッドバンドガイド体１１に各円弧状部１５，１７やヘッドバンド調整体１１するときなされるようになっている。
【００６８】
ところで、各円弧状部１５，１７をお互いに重ねてヘッドバンド５を環状に形成し保護帽１の帽体７に設置すると、すでに理解されるように、ヘッドバンド５の幅方向が帽体７の開口部と頂上部とをお互いに結ぶ方向とほぼ一致し、ヘッドバンド５の厚さ方向が、帽体７の肉部の厚さ方向とほぼ一致し、ヘッドバンド５の長手方向が、帽体７の開口部の縁が延びている方向になっている。
【００６９】
また、このようにしてヘッドバンド５を設置した状態では、各円弧状部１５，１７が重なっている部位、ヘッドバンドガイド体９、ヘッドバンド調整体１１は、帽体７の後に位置しており、各円弧状部１５，１７が重なっている部位やヘッドバンドガイド体９が、帽体７の真後ろの部分で最も下方に位置している。
【００７０】
また、ヘッドバンド調整体１１を回転することで、重なり合っている各円弧状部１５，１７の長さは変化するが、重なり合っている各円弧状部１５，１７の長さが最も長くなっても、第２の板状部５５や第４の板状部５９のほうが重なり長さよりも僅かに長くなっている。なお、重なり合っている各円弧状部１５，１７の長さが最も長くなったときには、第３の板状部５７が、重なり合っている各円弧状部の長さよりも僅かに短くなる。
【００７１】
また、図５で示すように、ヘッドバンドガイド体９の本体部４５の貫通孔とお互いに重なり合いヘッドバンドガイド体９でガイドされている各円弧状部１５，１７との間の間隙（本体部４５の貫通孔の高さ方向での間隙；お互いに重なり合っている各円弧状部１５，１７の幅方向での間隙）Ｇは、ヘッドバンドガイド体９の本体部４５の長手方向の中央部で最も小さくごく僅かな値であり、ヘッドバンドガイド体９の本体部４５の長手方向の端部に向かうにしたがって次第に大きくなっている。一方、本体部４５の貫通孔の幅方向での間隙（お互いに重なり合っている各円弧状部１５，１７の厚さ方向での間隙）の値は、ほぼ一定のごく僅かな値になっている。
【００７２】
サイズ調整装置３の組立手順について説明する。
【００７３】
この手順は、ヘッドバンド５を帽体７に設置した状態で行ってもよいし、設置していない状態で行ってもよい。
【００７４】
まず、図１に示すヘッドバンド５の各円弧状部１５，１７をお互いに重ね合わせる。このときに、各円弧状部１５，１７の重なり長さを最小にしておく。すなわち、各貫通孔３１，３３の重なり部分がほぼ円形状になるようにしておく。
【００７５】
続いて、各貫通孔３１，３３に、ヘッドバンド調整体１１のピニオン２３を挿入し、ピニオンが挿入された各円弧状部１５，１７をヘッドバンドガイド体９の下側部材５１（上側部材４９でもよい。）の所定の箇所に設置する（図７参照）。
【００７６】
続いて、接着もしくは熱を用いたカシメ等により、上側部材４９を下側部材５１に一体的に設置する。
【００７７】
この後、ヘッドバンド調整体１１を回転させれば、ヘッドバンド５のサイズを調整することができる。
【００７８】
サイズ調整装置３によれば、各円弧状部１５，１７が帽体７の後方で帽体７の下側に円弧状に凸になるヘッドバンド５を備えており、ヘッドバンド調整体１１を回転することによって、環状のヘッドバンド５のサイズを変更することができるので、保護帽１を着用者が被った場合における保護帽１（ヘッドバンド５）の密着性を優れたものにすることができると共に、着用者がたとえば手袋を着用していても、片手で容易にヘッドバンド５のサイズの調整をおこなうことができる。
【００７９】
また、サイズ調整装置３によれば、ヘッドバンド調整体１１の回転量による各円弧状部１５，１７の移動量が、お互いに等しくなっているので、ヘッドバンド５のサイズの調整をしても、各円弧状部１５，１７（ヘッドバンドガイド体１１）が帽体７の側方にずれることがなく常に帽体７の後に位置することになり、ヘッドバンド５のサイズ調整にかかわらず、保護帽１の着用者が良好なフィット感を得ることができる。
【００８０】
また、サイズ調整装置３によれば、ヘッドバンドガイド体９とこのヘッドバンドガイド体９でガイドされている各円弧状部１５，１７との間隙Ｇが、ヘッドバンドガイド体９の端部に向かうにしたがって次第に大きくなっているので、ヘッドバンドガイド体９に対する各円弧状部１５，１７の遊びの自由度を大きくすることができ、ヘッドバンド５やヘッドバンドガイド体９を着用者の頭部の形状に合致させることが容易になる。
【００８１】
ところで、サイズ調整装置３において、ヘッドバンド調整体１１の支持強度が補強されていてもよい。
【００８２】
すなわち、ヘッドバンド調整体１１の一部は、すでに理解されるように、ヘッドバンドガイド体９の外に露出しており、ヘッドバンド調整体１１の他の部分が、ヘッドバンドガイド体９の内部に入り込んでヘッドバンドガイド体９に係合している。
【００８３】
そして、ヘッドバンドガイド体９に対向しているヘッドバンド調整体１１の露出部分、この露出部分に対向しているヘッドバンドガイド体９の部分（ヘッドバンド調整体設置部４７の円環状の平面）４７Ａの少なくともいずれかに、ヘッドバンドガイド体９によるヘッドバンド調整体１１の支持強度を補強するための補強部７４が設けられていてもよい。
【００８４】
補強部７４によって、ヘッドバンド調整体１１の回転中心軸Ｃ２まわりのモーメント以外の外力に対する、ヘッドバンドガイド体９によるヘッドバンド調整体１１の支持強度を強化することができる。
【００８５】
具体的には、図１２で示すように、ヘッドバンド調整体１１の取手部６７には、スポーク部７５が形成されている。換言すれば、複数の貫通孔７７が、取手部６７の周方向を等分配するように配置されている。
【００８６】
そこで、各スポーク部７５を、円柱状の本体部６５の側に所定の距離だけ延出させる。そして、ヘッドバンド調整体１１をヘッドバンドガイド体９に設置したときに、スポーク部７５の各先端部（ピニオン２３側の端部）７５Ａが、リブとなり、ヘッドバンド調整体設置部４７の円環状の平面４７Ａに接触するようになっている。これによって、前述した支持強度を強化することができるようになっている。
【００８７】
なお、常態においては、スポーク部７５の各先端部７５Ａとヘッドバンド調整体設置部４７の円環状の平面４７Ａとの間に僅かな隙間が形成されており、ヘッドバンド調整体１１に外力が加わったときにのみ、スポーク部７５の各先端部７５Ａとヘッドバンド調整体設置部４７の円環状の平面４７Ａとが接触する構成であってもよい。
【００８８】
このような補強をしたことにより、保護帽１を誤って落下させてヘッドバンド調整体１１に衝撃が発生しても、この衝撃によってヘッドバンド調整体１１の付勢部７１が折れて破損する事態を回避することができる。
【符号の説明】
【００８９】
１  保護帽
３  サイズ調整装置
５  ヘッドバンド
７  帽体
９  ヘッドバンドガイド体
１１  ヘッドバンド調整体
１３  直線状部
１５  第１の円弧状部
１７  第２の円弧状部
２３  ピニオン
２５  第１のラック
２７  第２のラック
７４  補強部
Ｇ  間隙
【図１】
2010203015.tif 000003
【図２】
2010203015.tif 000004
【図３】
2010203015.tif 000005
【図４】
2010203015.tif 000006
【図５】
2010203015.tif 000007
【図６】
2010203015.tif 000008
【図７】
2010203015.tif 000009
【図８】
2010203015.tif 000010
【図９】
2010203015.tif 000011
【図１０】
2010203015.tif 000012
【図１１】
2010203015.tif 000013
【図１２】
2010203015.tif 000014